(57)【要約】【課題】排紙スタッカをプリンタ筐体に保持する保持装置を、低コストに構成するとともに、より一層明快な操作感が得られる様にすること。【解決手段】プリンタは上部ハウジング２によって筐体が構成される。上部ハウジング２は樹脂材料によって一体成形され、前方側に前方パネル部２ｄを有している。プリンタ前方側には回動自在に設けられ、回動することにより、印刷用紙をスタックする状態と、略垂直に立って収納状態となる排紙スタッカ５が設けられている。排紙スタッカ５には突起部３０がスタッカ本体部５ａと一体成形によって設けられ、前方パネル部２ｄには、嵌入孔２０が形成されている。排紙スタッカ５が前方パネル部２ｄに向けて押圧されると、突起部２０が嵌入孔２０に弾性的に嵌入し、これにより、排紙スタッカ５が閉状態に保持される。【選択図】　　　　図５
2004075262.tif 000002
【特許請求の範囲】
【請求項１】
被記録材に記録を行う記録装置において回動可能に設けられ、回動することにより、排紙される被記録材をスタックする使用状態と、被記録材排紙口を塞ぐ非使用状態とをとることのできる排紙スタッカを、前記非使用状態に保持する排紙スタッカの保持装置であって、
前記排紙スタッカの本体部を構成し、樹脂材料によって形成されるスタッカ本体部又は、前記記録装置の外観を構成し、樹脂材料によって形成される筐体に設けられる突起部と、
該突起部が前記スタッカ本体部に設けられた際には前記筐体に設けられ、或いは前記突起部が前記筐体に設けられた際には前記スタッカ本体部に設けられ、前記突起部が嵌入する際に弾性的に間口が拡がり、且つ、前記突起部が嵌入した後は間口が狭まることによって前記突起部を保持する嵌入孔と、を備え、
前記突起部及び前記嵌入孔が、それぞれが設けられる前記スタッカ本体部及び前記筐体と一体成形によって設けられている、
ことを特徴とする排紙スタッカの保持装置。
【請求項２】
請求項２において、前記嵌入孔に隣接する位置に、前記嵌入孔の間口が拡がる際の変形部分を吸収する窓孔が形成されている、ことを特徴とする排紙スタッカの保持装置。
【請求項３】
請求項１または２において、前記スタッカ本体部に、該スタッカ本体部を回動操作する為の摘み部が設けられ、
前記スタッカ本体部において、前記突起部又は前記嵌入孔が、前記摘み部の配設位置とほぼ一致する場所に設けられている、
ことを特徴とする排紙スタッカの保持装置。
【請求項４】
請求項１または２において、前記スタッカ本体部に、該スタッカ本体部を回動操作する為の摘み部が設けられ、
複数の前記突起部又は前記嵌入孔が、前記スタッカ本体部の幅方向において、前記摘み部に対してほぼ均等に配置されている、
ことを特徴とする排紙スタッカの保持装置。
【請求項５】
請求項１から４のいずれか１項において、前記筐体が、前記突起部と前記嵌入孔との嵌合方向に弾性変形可能な弾性変形部を有し、
前記突起部又は前記嵌入孔が、前記弾性変形部に設けられている、ことを特徴とする排紙スタッカの保持装置。
【請求項６】
請求項１から５のいずれか１項において、前記突起部又は前記嵌入孔が、前記筐体において、前記筐体に設けられた前記スタッカ本体部の回動軸から離間した位置に設けられている、
ことを特徴とする排紙スタッカの保持装置。
【請求項７】
被記録材に記録を行う記録装置であって、請求項１から６のいずれか１項に記載された前記排紙スタッカの保持装置を備えていることを特徴とする記録装置。
【発明の詳細な説明】
【０００１】
【発明の属する技術分野】
本発明は、記録材に記録を行う記録装置において回動可能に設けられ、回動することにより、排紙される被記録材をスタックする使用状態と、被記録材排紙口を塞ぐ非使用状態とをとることのできる排紙スタッカを、前記非使用状態に保持する排紙スタッカの保持装置に関する。また、本発明は、該排紙スタッカの保持装置を備えた記録装置に関する。
【０００２】
【従来の技術】
記録装置の一つとしてインクジェットプリンタ（以下「プリンタ」と言う）があり、プリンタは、印刷の行われた印刷用紙を排紙する用紙排紙口に、排紙された印刷用紙をスタックする排紙スタッカを備えている。
【０００３】
この排紙スタッカは、印刷用紙をスタックする状態においてプリンタ前方側に突出した状態となる為、収納性或いは輸送性を考慮して、多段に構成され且つ前方側にスライドすることにより、広いスタック面を形成する様になされている。また、更にプリンタに対して回動可能に設けられ、回動することにより、略垂直に立設された状態となって前記用紙排紙口を覆い（非使用状態）、これにより、更にプリンタ非使用時のコンパクト化を図ることができる様になっている。
【０００４】
ところで、この様な回動可能な排紙スタッカを前記非使用状態に保持する保持手段（保持装置）には、例えば排紙スタッカの回動軸近傍に、排紙スタッカの側面に対して弾接可能な突起部を設け、一方で排紙スタッカの側面には前記突起部と係合する凹部を形成し、この凹部と前記突起部との係合によって排紙スタッカを前記非使用状態に保持する様に構成されたものがある。
【０００５】
図８はこの様な従来の排紙スタッカの保持装置を示したものである。保持装置５００は図８に示す如く、例えば合成樹脂材料で形成された係止部材５０３と、該係止部材５０３を付勢するコイルばね５０４から構成されている。係止部材５０３はプリンタ筐体５０１に形成された孔５０１ａから排紙スタッカ本体５０２に向かって進退可能に設けられ、プリンタ筐体５０１に設けられた台座５０５との間に設けられたコイルばね５０４の付勢力により、排紙スタッカ本体５０２に向けて常に付勢された状態となっている。一方で排紙スタッカ本体５０２の側には嵌合孔５０２ａが形成されていて、該嵌合孔５０２ａに、係止部材５０３の頂部に形成された凸部５０３ａが嵌入する様になっていて、これにより、排紙スタッカ本体５０２がプリンタ筐体５０１に保持される。
【０００６】
【発明が解決しようとする課題】
しかし、上述した様な従来技術に係る排紙スタッカの保持手段は、係止部材５０３やコイルばね５０４の様な小型部品を必要とし、これによって部品コスト及び組立コストが掛かり、プリンタの低コスト化の障壁となっていた。また、リサイクルに供する為には分別作業が必要となり、組立時のみならずリサイクル時にも工数が掛かっていた。
【０００７】
また、上述した従来の様な排紙スタッカの保持手段は、コイルばね５０４によって凸部５０３ａが嵌合孔５０２ａに嵌入する様になっているものの、排紙スタッカが保持される際の操作感（感触）が必ずしも明快な（小気味よい）ものとはなっておらず、操作感に乏しいものとなっていた。
【０００８】
そこで本発明はこの様な状況に鑑みなされたものであり、その課題は、排紙スタッカをプリンタ筐体に保持する保持装置を低コストに構成するとともに、より一層明快な操作感が得られる様にすることにある。
【０００９】
【課題を解決するための手段】
上記課題を解決するために、本願請求項１記載の排紙スタッカの保持装置は、被記録材に記録を行う記録装置において回動可能に設けられ、回動することにより、排紙される被記録材をスタックする使用状態と、被記録材排紙口を塞ぐ非使用状態とをとることのできる排紙スタッカを、前記非使用状態に保持する排紙スタッカの保持装置であって、該排紙スタッカを前記非使用状態に保持するスタッカ保持手段が、該排紙スタッカの本体部を構成し、樹脂材料によって形成されるスタッカ本体部又は、前記記録装置の外観を構成し、樹脂材料によって形成される筐体に設けられる突起部と、該突起部が前記スタッカ本体部に設けられた際には前記筐体に設けられ、或いは前記突起部が前記筐体に設けられた際には前記スタッカ本体部に設けられ、前記突起部が嵌入する際に弾性的に間口が拡がり、且つ、前記突起部が嵌入した後は間口が狭まることによって前記突起部を保持する嵌入孔と、を備え、前記突起部及び前記嵌入孔が、それぞれが設けられる前記スタッカ本体部及び前記筐体と一体成形によって設けられていることを特徴とする。
【００１０】
本願請求項１記載の発明によれば、排紙スタッカを非使用状態に保持するスタッカ保持手段が、突起部と、該突起部が嵌入する際に弾性的に間口が拡がり、且つ、前記突起部が嵌入した後は間口が狭まることによって前記突起部を保持する嵌入孔とからなるので、この様に部材の弾性変形を伴って前記突起部が前記嵌入孔に嵌入する為に明快な操作感が得られると共に、前記突起部及び前記嵌入孔は、前記スタッカ本体部及び前記筐体と一体成形によって設けられているので、別部品を必要とせず、組み付け工程も不要となる為、排紙スタッカの保持装置を極めて低コストに構成することが可能となる。
【００１１】
本願請求項２記載の排紙スタッカの保持装置は、請求項２において、前記嵌入孔に隣接する位置に、前記嵌入孔の間口が拡がる際の変形部分を吸収する窓孔が形成されていることを特徴とする。
本願請求項２記載の発明によれば、前記嵌入孔に隣接する位置に、前記嵌入孔の間口が拡がる際の変形部分を吸収する窓孔が形成されているので、前記嵌入孔の間口が拡がり易いと共に、前記突起部が前記嵌入孔に嵌入する際の当該嵌入孔付近の部材の破壊を防止することができる。
【００１２】
本願請求項３記載の排紙スタッカの保持装置は、請求項１または２において、前記スタッカ本体部に、該スタッカ本体部を回動操作する為の摘み部が設けられ、前記スタッカ本体部において、前記突起部又は前記嵌入孔が、前記摘み部の配設位置とほぼ一致する場所に設けられていることを特徴とする。
本願請求項３記載の発明によれば、前記スタッカ本体部に、該スタッカ本体部を回動操作する為の摘み部が設けられ、前記スタッカ本体部において、前記突起部又は前記嵌入孔が、前記摘み部の配設位置とほぼ一致する場所に設けられているので、力の作用点と反発点とが一致し、これにより、前記スタッカ本体部に不自然な力（例えば、ねじれ力）が掛からず、前記排紙スタッカの変形等を防止できる。
【００１３】
本願請求項４記載の排紙スタッカの保持装置は、請求項１または２において、前記スタッカ本体部に、該スタッカ本体部を回動操作する為の摘み部が設けられ、複数の前記突起部又は前記嵌入孔が、前記スタッカ本体部の幅方向において、前記摘み部に対してほぼ均等に配置されていることを特徴とする。
本願請求項４記載の発明によれば、前記スタッカ本体部に、該スタッカ本体部を回動操作する為の摘み部が設けられ、複数の前記突起部又は前記嵌入孔が、前記スタッカ本体部の幅方向において、前記摘み部に対してほぼ均等に配置されているので、これにより、前記スタッカ本体部に不自然な力（例えば、ねじれ力）が掛からず、前記排紙スタッカの変形等を防止することができる。
【００１４】
尚、複数の前記突起部又は前記嵌入孔が、前記摘み部に対してほぼ均等に配置されているとは、例えば前記摘み部が、前記スタッカ本体部の幅方向において中央部に設けられている場合に、２つの前記突起部が、前記摘み部から等間隔だけ離れた位置に設けられている場合の様に、前記摘み部を押圧して前記突起部を前記嵌入孔に嵌入させる際に、前記スタッカ本体部にねじれ力が作用しない様に、前記突起部又は前記嵌入孔と、前記摘み部との位置関係が決定されている状態を言う。
【００１５】
本願請求項５記載の排紙スタッカの保持装置は、請求項１から４のいずれか１項において、前記筐体が、前記突起部と前記嵌入孔との嵌合方向に弾性変形可能な弾性変形部を有し、前記突起部又は前記嵌入孔が、前記弾性変形部に設けられていることを特徴とする。
本願請求項５記載の発明によれば、前記筐体が、前記突起部と前記嵌入孔との嵌合方向に弾性変形可能な弾性変形部を有し、前記突起部又は前記嵌入孔が、前記弾性変形部に設けられているので、前記突起部が前記嵌入孔に嵌入する際には、前記弾性変形部の弾性力が作用してより一層嵌入し易くなり、操作性が向上する。
【００１６】
本願請求項６記載の排紙スタッカの保持装置は、請求項１から５のいずれか１項において、前記突起部又は前記嵌入孔が、前記筐体に設けられた前記スタッカ本体部の回動軸から離間した位置に設けられていることを特徴とする。
本願請求項６記載の発明によれば、前記突起部又は前記嵌入孔が、前記筐体において、前記筐体に設けられた前記スタッカ本体部の回動軸から離間した位置に設けられているので、この様な位置は前記筐体が弾性変形し易く、前記突起部が前記嵌入孔に嵌入する際には前記弾性変形部の弾性力が作用してより一層嵌入し易くなり、操作性が向上する。
【００１７】
本願請求項７記載の記録装置は、被記録材に記録を行う記録装置であって、請求項１から６のいずれか１項に記載された排紙スタッカの保持装置を備えていることを特徴とする。
本願請求項７記載の発明によれば、被記録材に記録を行う記録装置は、請求項１から６のいずれか１項に記載された前記排紙スタッカの保持装置を備えているので、これにより、前述した本願請求項１から６のいずれか１項に記載された発明と同様な作用効果を得ることができる。
【００１８】
【発明の実施の形態】
以下、図１乃至図７を参照しながら本発明の一実施形態について説明する。ここで、図１は本発明に係る「記録装置」としてのインクジェットプリンタ（以下「プリンタ」と言う）１００の外観斜視図であり、図２はプリンタ１００の外観を構成する筐体の分解斜視図、図３は上部ハウジング２の外観斜視図、図４は下部ハウジング１の外観斜視図、図５は排紙スタッカ５の保持装置の外観斜視図、図６は排紙スタッカ５の保持装置の正面図、図７は排紙スタッカ５、下部ハウジング１、上部ハウジング２の側断面図である。
【００１９】
先ず、図１及び図２を参照しながら、プリンタ１００の外観構成について説明する。図２に示す様に、プリンタ１００は、下部ハウジング１と、上部ハウジング２と、これらの両側に設けられるサイドハウジング３、４とによって構成される筐体によって、その外観が構成されている。尚、該筐体の各構成部品は、全て樹脂材料を用いた一体成形によって形成されている。
【００２０】
図１において、プリンタ１００の後方側には給紙装置（図示せず）が設けられ、また、上部ハウジング２には、ペーパーサポート６が着脱自在に取り付けられていて、該ペーパーサポート６により、複数枚の印刷用紙が傾斜姿勢で支持される。上部ハウジング２の中央部には開閉自在なカバー７が設けられていて、カバー７を開放することにより、プリンタ１００の装置本体（図示せず）が露呈し、インクカートリッジ交換作業等が行える様になっている。上部ハウジング２の前方側下部には開口部２ｃ（図１（Ｂ））が形成されていて、一方で下部ハウジング１の側には、回動することによって開口部２ｃを覆う状態（図１（Ａ）の状態：非使用状態）と開放する状態（図１（Ｂ）の状態：使用状態）とをとることのできる排紙スタッカ５が設けられている。即ち、排紙スタッカ５は、開口部２ｃを覆う状態において非使用状態となり、開口部２ｃを開放する状態において、排紙される印刷用紙をスタックする使用状態となる。そして、印刷の行われた印刷用紙は、開口部２ｃから排出され、排紙スタッカ５にスタックされる。
【００２１】
次に、図２において下部ハウジング１には、図示しないプリンタ１００の装置本体が載設され、そして下部ハウジング１に載設された前記装置本体を覆う様に、図示しないスナップ固定手段及びねじ固定手段により、上部ハウジング２が設けられる。
【００２２】
ここで、上部ハウジング２は図示する様にドーム形の形状をなし、下部ハウジング１と結合すると、下部ハウジング１と上部ハウジング２とによって筒状体が形成される。そして、キャップ形状をなすサイドハウジング３、４は、この筒状体の両側部分を覆う様に、下部ハウジング１と上部ハウジング２との両側に取り付けられる。即ち、サイドハウジング３は、下部ハウジング１の右側端部１ａと、上部ハウジング２の右側端部２ａとを覆う様に（キャップする様に）して取り付けられる。サイドハウジング４についても同様に、下部ハウジング１の左側端部１ｂと、上部ハウジング２の左側端部２ｂとを覆う様に（キャップする様に）して取り付けられる。
【００２３】
カバー７については、後部の突起７ａ、７ａが、上部ハウジング２に形成された図示しない凹部に嵌合し、これにより、上部ハウジング２において突起７ａ、７ａを回動軸として回動可能となる。
【００２４】
従って、サイドハウジング３、４が上述の様に取り付けられることによって、下部ハウジング１と上部ハウジング２とは、その結合状態が強固に保持され、外部から衝撃を受けた際や落下等に際しても分離せず、以てプリンタ１００の外観を構成する筐体の機械的強度を飛躍的に向上させることができる様になっている。
【００２５】
換言すれば、サイドハウジング３、４は、下部ハウジング１と上部ハウジング２との分離を防止するハウジング固定手段を兼ねているので、上部ハウジング２を下部ハウジング１に対して固定する固定手段（図示しないスナップ手段及びねじ固定手段）を補って更に強固に上部ハウジング２と下部ハウジング１とが結合されることになる。
【００２６】
また、サイドハウジング３、４を取り外すことにより、上部ハウジング２を取り外さずにプリンタ１００の装置本体（図示せず）の右側部分或いは左側部分を露呈させることができるので、プリンタ１００のメンテナンス性が向上するといった作用効果をも得ることができる。
【００２７】
更に、プリンタ１００の外観を構成する筐体は、上述した通り下部ハウジング１と、上部ハウジング２と、これらの両側に設けられるサイドハウジング３、４とによって構成されていることから、サイドハウジング３、４のデザインを変更することにより、筐体全体としてのデザインを変更することができ、従ってプリンタ１００の外観デザインの変更に際してはサイドハウジング３、４のデザインのみを変更すれば良く、金型コストを抑えて簡易且つ低コストにプリンタ１００の外観デザインを変更することができる。また、その際サイドハウジング３、４のデザインのみを変更すれば良いので、金型の多数個取りが可能となり、この点においても、低コストにプリンタ１００の外観デザインを変更することができる。
【００２８】
次に、排紙スタッカ５を上部ハウジング２に対して保持する保持装置の構成について図３乃至図７を参照しながら説明する。先ず、図３に示す様に、上部ハウジング２の前方側において略垂直に立設された前方パネル部２ｄの上部両側には、嵌入孔２０がそれぞれ形成されている。嵌入孔２０は、図６に示す様に方形の形状をなし、前方パネル部２ｄをプリンタ前方側から後方側に向けて貫通する様に形成されている。尚、嵌入孔２０の両サイドには図示する様に窓孔２１、２１がそれぞれ形成されているが、これについては後に説明する。
【００２９】
続いて、図４に示す様に、下部ハウジング１には、排紙スタッカ５が回動自在に取り付けられている。より詳しくは、排紙スタッカ５は、スタッカ本体部５ａと、これに収納され且つ引き出し可能な引き出し部５ｂとから構成され、スタッカ本体部５ａは、その回動軸（図７において符号５ｅで示す）が下部ハウジング１に設けられた軸受け部１ｃ、１ｄによって軸支されることにより、回動可能となっている。尚、符号１ｅ、１ｆは、スタッカ基部５ａが開く方向に回動する際のストッパ部を示している。
【００３０】
ここで、スタッカ本体部５ａは、図示する様に印刷用紙をスタックするスタック面５ｄの両側に、スタッカ本体部５ａと一体成形によって設けられる突起部３０、３０（以下説明の便宜の為「突起部３０」と言う）を有している。突起部３０は、図５に示す様に先端が球形状をなし、スタック面５ｄから上方に突出する様に設けられている。
【００３１】
また、スタッカ本体部５ａにおいて突起部３０が設けられた側と反対側の面には、図５に示す様に摘み部５ｃが形成されている。摘み部５ｃは、排紙スタッカ５の非使用状態において、スタッカ本体部５ａの上端部分においてプリンタ１００前方側に突出する様な凸形状をなしていて、これにより、排紙スタッカ５の回動操作が容易なものとなっている。
【００３２】
次に、上部ハウジング２における前方パネル部２ｄには、排紙スタッカ５が使用状態から非使用状態となる方向に回動した際に突起部３０と対向する位置に、前述した嵌入孔２０が形成されていて、突起部３０が、嵌入孔２０に嵌入することができる様になっている。
【００３３】
図６は突起部３０が嵌入孔２０に嵌入する様子を示したものであり、図示する様に嵌入孔２０の両サイドには窓孔２１、２１が形成されていて、また、嵌入孔２０の幅寸法が、突起部３０の先端の球形状よりも小なる様に形成されているので、図５に示す様に排紙スタッカ５を回動させて排紙スタッカ５を前方パネル部２ｄに向けて押圧すると、図６（Ａ）に示す様に嵌入孔２０の両側部分が弾性変形し、嵌入孔２０の間口が突起部３０によって押し拡げられる。ここで、嵌入孔２０の両サイドに窓孔２１が形成されたことにより、嵌入孔２０の間口が拡がり易いと共に、突起部３０が嵌入孔２０に嵌入する際の嵌入孔２０周囲の部材の破壊を防止することができる様になっている。
【００３４】
そして、これによって突起部３０が嵌入孔２０に嵌入し、図６（Ｂ）に示す様に嵌入孔２０の間口が狭まる（元の状態に戻る）。従って以上により、排紙スタッカ５のスタッカ本体部５ａが上部ハウジング２の前方パネル部２ｄに保持されることになる。
【００３５】
ここで、嵌入孔２０は、樹脂材料によって形成された上部ハウジング２の前方パネル部２ｄに形成されているので、突起部３０が嵌入孔２０に嵌入する際には、前方パネル部２ｄが僅かにプリンタ１００内側に弾性変形する。従ってて、突起部３０が嵌入孔２０に嵌入する際には、前方パネル部２ｄの弾性力が作用してより一層嵌入し易くなり、操作性がより一層向上する様になっている。
【００３６】
即ち、図７（Ａ）に示す様に、排紙スタッカ５が前方パネル部２ｄに向けて押圧されると、突起部３０が嵌入孔２０に嵌入しようとするが、前方パネル部２ｄは樹脂材料によって形成され且つ嵌入孔２０が形成された部分は板状体となっている為、嵌入孔２０が形成された部分が図示する様に突起部３０に押されてやや内側に弾性変形し、これにより、突起部３０が嵌入孔２０に嵌入する際には前方パネル部２ｄの弾性力が加わって、突起部３０が嵌入孔２０により一層嵌入し易くなる。
【００３７】
尚、図７において、例えば下部ハウジング１と上部ハウジング２とが一体的に形成されている様な場合においては、嵌入孔２０が排紙スタッカ５の回動軸５ｅの近傍に設けられていると、回動軸５ｅを軸支する軸受け部１ｅ、１ｆ（図４参照）付近の剛性が高いことから、図７（Ａ）に示す様なハウジング部材の弾性変形による弾性力は得られないが、回動軸５ｅから離間した位置に嵌入孔２０が形成されていれば、上述の様な弾性力を得ることができる。加えて、図６（Ａ）に示した様な、嵌入孔２０の間口が拡がる際の弾性変形も容易に行われ、突起部３０が嵌入孔２０に嵌入し易くなる。つまり、嵌入孔２０は、プリンタ１００のハウジング部材（筐体）において弾性変形し易い場所に設けられていることが望ましい。
【００３８】
以上の様に構成された排紙スタッカ５の保持手段の作用効果を説明すると、以下の様になる。即ち、排紙スタッカ５の保持手段は、突起部３０と、突起部３０が嵌入する際に弾性的に間口が拡がり、且つ、突起部３０が嵌入した後は間口が狭まることによって突起部３０を保持する嵌入孔２０とからなるので、この様に部材の弾性変形を伴って突起部３０が嵌入孔２０に嵌入する為に明快な操作感が得られると共に、突起部３０及び嵌入孔２０は、スタッカ本体部５ａ及び上部ハウジング２とそれぞれ一体成形によって設けられているので、別部品を必要とせず、組立工程も不要となる為、排紙スタッカ５の保持手段を極めて低コストに構成することが可能となる。
【００３９】
尚、本実施形態においては、図３及び図４に示す様に嵌入孔２０が上部ハウジング２の側に、突起部３０が排紙スタッカ５の側にそれぞれ設けられているが、嵌入孔２０を排紙スタッカ５の側に、突起部３０を上部ハウジング２の側にそれぞれ設けても、上述と同様な作用効果を得ることができる。また、この場合には、排紙スタッカ５のスタック面５ｄ上に突起物が存在しないことから、排紙される印刷用紙が引っ掛かるといった不具合も生じず、円滑な排紙動作を行うことができる。
【００４０】
また、本実施形態の様に突起部３０が排紙スタッカ５のスタック面５ｄ上に設けられている場合でも、突起部３０が排紙される印刷用紙の排紙動作を妨げない様充分配慮された位置に設けられていれば、排紙される印刷用紙が引っ掛かることもなく、また、本実施形態の様にスタック面５ｄの両側部分に突起部３０が配設されていることにより、排紙される印刷用紙がスタック面５ｄ上においてサイドに流れることもなく、いわば印刷用紙の側端をガイドするガイド部材としての機能を発揮させることも可能となる。
【００４１】
ところで、本実施形態においては、図５に示した摘み部５ｃは、突起部３０、３０のほぼ中間に位置している。従ってこれにより、摘み部５ｃを押圧することにより、突起部３０を嵌入孔２０に嵌入させる際にも、摘み部５ｃを押圧する力は両側の突起部３０、３０に均等に分配され、これによって排紙スタッカ５にはねじれ力が作用せず、排紙スタッカ５の変形等を防止することができる様になっている。
【００４２】
ここで、上述の様な作用効果は、例えば摘み部５ｃと突起部３０との配設位置を一致させることによっても得ることができる。つまり、例えば摘み部５ｃを本実施形態の如く排紙スタッカ５の略中央付近に設け、一つの突起部３０を同様に排紙スタッカ５の略中央付近に設ければ、力の作用点と反発点とが一致することになり、排紙スタッカ５にはねじれ力が作用しない。
【００４３】
尚、本実施形態では、上述した通り突起部３０と嵌入孔２０との組を２組用いているが、１組であっても良いし、３組以上を設けても構わない。また、その配設位置も、例えば排紙スタッカ５の一方側の側端付近に１組のみ設けても良いし、中央付近に１組のみ設けても良いし、その配設位置及び配設数は種々の形態をとることが可能である。
【００４４】
【発明の効果】
以上説明した様に、本発明によれば、排紙スタッカを非使用状態に保持するスタッカ保持装置が、突起部と、該突起部が嵌入する際に弾性的に間口が拡がり、且つ、前記突起部が嵌入した後は間口が狭まることによって前記突起部を保持する嵌入孔とからなるので、この様に部材の弾性変形を伴って前記突起部が前記嵌入孔に嵌入する為に明快な操作感が得られると共に、前記突起部及び前記嵌入孔は、前記スタッカ本体部及び前記筐体と一体成形によって設けられているので、別部品を必要とせず、組立工程も不要となる為、排紙スタッカの保持手段を極めて低コストに構成することが可能となる。
【図面の簡単な説明】
【図１】本発明に係るインクジェットプリンタの外観斜視図である。
【図２】本発明に係るインクジェットプリンタの外観を構成する筐体の分解斜視図である。
【図３】上部ハウジングの外観斜視図である。
【図４】下部ハウジングの外観斜視図である。
【図５】排紙スタッカの保持装置の外観斜視図である。
【図６】排紙スタッカの保持装置の正面図である。
【図７】排紙スタッカ、下部ハウジング、上部ハウジングの側断面図である。
【図８】従来技術に係る排紙スタッカの保持装置の構成を示す側断面図である。
【符号の説明】
１　下部ハウジング
２　上部ハウジング
３、４　サイドハウジング
５　排紙スタッカ
５ｃ　摘み部
６　ペーパーサポート
７　カバー
２０　嵌入孔
２１　窓孔
３０　突起部
１００　インクジェットプリンタ
【図１】
2004075262.tif 000003
【図２】
2004075262.tif 000004
【図３】
2004075262.tif 000005
【図４】
2004075262.tif 000006
【図５】
2004075262.tif 000007
【図６】
2004075262.tif 000008
【図７】
2004075262.tif 000009
【図８】
2004075262.tif 000010